(57)【要約】      （修正有）【課題】高い支持力と剛性を具え変形しにくく、又、蓋と箱が外れにくい構造をもつ紙弁当箱とその蓋の構造を提供する。【解決手段】円弧状の四つ角を有する箱体と、箱体に固定される蓋体からなる。箱体の箱底の四隅は外側に延伸して接面部と弧状片を形成する。接面部は折り壁を形成し、折り壁は接面部と反対側に側壁を形成し、側壁は上方に継手部を形成し、折り壁を谷折りして継手部を弧状片に貼着させる。蓋体の、周縁部の四辺の内、短い二辺は、それぞれ延伸して係合部を形成し、係合部を蓋体の外側へ向かって９０度折り曲げ、箱体の補強片を周縁部の内側に密着させた後、折り曲げた係合部を元の位置に戻すことで補強片は係合部と係合される。【選択図】図４
0003158841.tif 000002
【実用新案登録請求の範囲】
【請求項１】
折り線で谷折りされて箱底を形成し、該箱底の四隅は外側に広がるように延伸して接面部と弧状片を形成し、該接面部は両側に延伸して折り壁を形成し、該折り壁は該接面部と反対側に延伸して側壁を形成し、該側壁は上に向かって延伸して継手部を形成し、該折り壁を谷折りして該継手部を該弧状片に貼着させることで高い支持力をもつ湾曲した円弧状の四つ角を形成する箱体と、
周縁部を形成し、該周縁部の四つの辺の内、短いほうの二つの辺は、それぞれ延伸して係合部を形成し、該係合部を蓋体の外側へ向かって９０度折り曲げ、該箱体の該補強片を該蓋体の該周縁部の内側に密着させた後、折り曲げた該係合部を元の位置に戻すことで該箱体の該補強片は該係合部と係合され、それにより箱体に固定される蓋体と、
によって構成することを特徴とする高い剛性を具える紙弁当箱とその蓋の構造。
【請求項２】
該側壁は該箱底と反対側に延伸して連結部を形成し、該連結部は該側壁と反対側に延伸して補強片を形成し、該側壁と該連結部の境目、及び該連結部と該補強片の境目は、直角に近い角度でそれぞれ山折りし、更に、該連結部と該補強片は、該箱体の上縁で下方向へ湾曲させることができることを特徴とする、請求項１に記載の高い剛性を具える紙弁当箱とその蓋の構造。
【請求項３】
該箱体内にはパーティションを挟設し、該箱体のスペースを区切ることができることを特徴とする、請求項１に記載の高い剛性を具える紙弁当箱とその蓋の構造。
【請求項４】
該周縁部の内、該係合部が設けられていない二つの側辺は、延伸して補助係合部を形成し、該補助係合部は該箱体の該補強片と係合させることができることを特徴とする、請求項１に記載の高い剛性を具える紙弁当箱とその蓋の構造。
【考案の詳細な説明】
【技術分野】
【０００１】
本考案は紙弁当箱とその蓋の構造に関し、特に、高い支持力と剛性を具え変形しにくく、又、蓋と箱が外れにくい構造をもつ紙弁当箱とその蓋の構造に関する。  
【背景技術】
【０００２】
従来の紙弁当箱は、紙板の四隅を貼着することで立体的な弁当箱を形成させる。その四つ角は、いずれも垂直の直線形状であり、外観上美しくない。又、従来の紙弁当箱の別の形態では、角を折ってから貼着する方法を採用している。しかしながら、折り曲げられた角が多いと、剛性が低くなり、支持力も弱く、外観も美しくなくなる。更には、折り曲げる角が多いため、組み立てるのが複雑になる。このような構造だと、食べ物を紙弁当内に盛り付けたとき、弁当箱が変形しやすい。
【考案の概要】
【考案が解決しようとする課題】
【０００３】
本考案は、高い支持力と剛性を具え変形しにくく、又、蓋と箱が外れにくい構造をもつ紙弁当箱とその蓋の構造を提供することを目的とする。
【課題を解決するための手段】
【０００４】
本考案による高い剛性を具える紙弁当箱とその蓋の構造は、折り線で谷折りされて箱底を形成し、該箱底の四隅は外側に広がるように延伸して接面部と弧状片を形成し、該接面部は両側に延伸して折り壁を形成し、該折り壁は該接面部と反対側に延伸して側壁を形成し、該側壁は上に向かって延伸して継手部を形成し、該折り壁を谷折りして該継手部を該弧状片に貼着させることで高い支持力をもつ湾曲した円弧状の四つ角を形成する箱体と、周縁部を形成し、該周縁部の四つの辺の内、短いほうの二つの辺は、それぞれ延伸して係合部を形成し、該係合部を蓋体の外側へ向かって９０度折り曲げ、該箱体の該補強片を該蓋体の該周縁部の内側に密着させた後、折り曲げた該係合部を元の位置に戻すことで該箱体の該補強片は該係合部と係合され、それにより箱体に固定される蓋体と、によって構成する。
【考案の効果】
【０００５】
本考案は、高い支持力と剛性を具えているため、中に食べ物を詰めたときに箱が変形したり、詰めた食べ物の重みで弁当箱の側壁が外に開いてしまったりすることを防ぐ効果があり、又、蓋と箱が外れにくい構造をもっているため、弁当箱と蓋が外れて弁当箱内に異物が入ってくるのを防ぐ効果をもつ。
【図面の簡単な説明】
【０００６】
【図１】本考案の実施例１における箱体を示した俯瞰図である。
【図２】本考案の実施例１における箱体を示した斜視図である。
【図３】本考案の実施例１における箱体と蓋体を示した斜視図である。
【図４】本考案の実施例１における蓋体を箱体に連結する際の動作を示した第一の説明図である。
【図５】本考案の実施例１における蓋体を箱体に連結する際の動作を示した第二の説明図である。
【図６】本考案の実施例１における蓋体を箱体に連結する際の動作を示した第三の説明図である。
【図７】本考案の実施例２における箱体を示した斜視図である。
【図８】本考案の実施例３における箱体を示した斜視図である。
【図９】本考案の実施例４における箱体を示した斜視図である。
【図１０】本考案の実施例５における箱体を示した斜視図である。
【図１１】本考案の実施例６における箱体を示した斜視図である。
【図１２】本考案の実施例７における箱体を示した斜視図である。
【図１３】本考案の実施例７における箱体と蓋体の連結箇所の構造を示した説明図である。
【実施例１】
【０００７】
図１から図３に示すように、本考案による実施例１の高い剛性を具える紙弁当箱とその蓋の構造は、箱体１０と蓋体２０によって構成する。
【０００８】
該箱体１０は折り線で谷折りされて箱底１１を形成し、該箱底１１の四隅は外側に広がるように延伸して接面部１２と弧状片１４を形成し、該接面部１２は両側に延伸して折り壁１５を形成し、該折り壁１５は接面部１２と反対側に延伸して側壁１６を形成し、該側壁１６は上に向かって延伸して継手部１３を形成する。その内、折り壁１５を谷折りして継手部１３を弧状片１４に貼着させることで、該箱体１０は高い支持力をもつ湾曲した円弧状の四つ角を形成する。また、該側壁１６は箱底１１と反対側に延伸して連結部１７を形成し、連結部１７は側壁１６と反対側に延伸して補強片１８を形成し、側壁１６と連結部１７の境目、及び連結部１７と補強片１８の境目は、直角に近い角度でそれぞれ山折りする。
【０００９】
該蓋体２０の周囲は周縁部２１を形成し、周縁部２１の四つの辺の内、短いほうの二つの辺はそれぞれ延伸して係合部２２を形成する。
【００１０】
図４から図６は、蓋体２０の係合部２２を箱体１０へ連結する時の動作を示した説明図である。該蓋体２０の係合部２２を該蓋体２０の外側へ向かって９０度折り曲げ、箱体１０の補強片１８を蓋体２０の周縁部２１の内側に密着させた後、折り曲げた係合部２２を元の位置に戻すことで箱体１０の補強片１８は係合部２２と係合され、蓋体２０が箱体１０に固定される。
【実施例２】
【００１１】
図７は、本考案の実施例２における箱体を示した斜視図である。連結部１７と補強片１８を箱体１０の上縁で下方向へ湾曲させ、更に弧状片１４で連結部１７と補強片１８を上から被覆することで、箱体１０の構造は強化され、高い剛性を具えることができる。
【実施例３】
【００１２】
図８は、本考案の実施例３における箱体を示した斜視図である。該箱体１０内にはパーティション３０を挟設し、箱体１０のスペースを区切る。この構造により、弁当箱は多様な使い方ができるようになる。
【実施例４】
【００１３】
図９は、本考案の実施例４における箱体を示した斜視図である。該箱体１０は六面の側壁を具える。実施例１と同様に、その側壁は外側に広がるように延伸して連結部１７を形成し、連結部１７は更に外側に延伸して補強片１８を形成し、側壁１６と連結部１７の境目、及び連結部１７と補強片１８の境目は、直角に近い角度でそれぞれ山折りする。この構造により、箱体１０は高い剛性と斬新な外観を具えることができる。
【実施例５】
【００１４】
図１０は、本考案の実施例５における箱体を示した斜視図である。該箱体１０と蓋体２０は相互に繋がる一体構造になっている。箱体１０の側辺には連結部１７と補強片１８が設けられ、それにより支持力が強化され、変形しにくくなっている。
【実施例６】
【００１５】
図１１は、本考案の実施例６における箱体を示した斜視図である。該箱体１０と蓋体２０は、正方形の外観を具えている。
【実施例７】
【００１６】
図１２は本考案の実施例７における箱体を示した斜視図であり、図１３は本考案の実施例７における箱体と蓋体の連結箇所の構造を示した説明図である。該周縁部２１の四つの辺の内、係合部２２が設けられていない二つの側辺は、延伸して補助係合部２３を形成する。補助係合部２３を箱体１０の補強片１８と係合させることで、該箱体１０と蓋体２０の間の連結強度が高まり、両者が更に外れにくくなる。
【符号の説明】
【００１７】
１０        箱体
１１        箱底
１２        接面部
１３        継手部
１４        弧状片
１５        折り壁
１６        側壁
１７        連結部
１８        補強片
２０        蓋体
２１        周縁部
２２        係合部
２３        補助係合部
３０        パーティション
【図１】
0003158841.tif 000003
【図２】
0003158841.tif 000004
【図３】
0003158841.tif 000005
【図４】
0003158841.tif 000006
【図５】
0003158841.tif 000007
【図６】
0003158841.tif 000008
【図７】
0003158841.tif 000009
【図８】
0003158841.tif 000010
【図９】
0003158841.tif 000011
【図１０】
0003158841.tif 000012
【図１１】
0003158841.tif 000013
【図１２】
0003158841.tif 000014
【図１３】
0003158841.tif 000015
【手続補正書】
【提出日】平成22年2月23日(2010.2.23)
【手続補正１】
【補正対象書類名】実用新案登録請求の範囲
【補正対象項目名】全文
【補正方法】変更
【補正の内容】
【実用新案登録請求の範囲】
【請求項１】
折り線で谷折りされて箱底を形成し、該箱底の四隅は外側に広がるように延伸して接面部と弧状片を形成し、該接面部は両側に延伸して折り壁を形成し、該折り壁は該接面部と反対側に延伸して側壁を形成し、該側壁は上に向かって延伸して継手部を形成し、該折り壁を谷折りして該継手部を該弧状片に貼着させることで高い支持力をもつ湾曲した円弧状の四つ角を形成する箱体と、
周縁部を形成し、該周縁部の四つの辺の内、短いほうの二つの辺は、それぞれ延伸して係合部を形成し、該係合部を蓋体の外側へ向かって折り曲げ、該箱体に設けられた補強片を該蓋体の該周縁部の内側に密着させた後、折り曲げた該係合部を元の位置に戻すことで該箱体の該補強片は該係合部と係合され、それにより箱体に固定される蓋体と、
によって構成することを特徴とする高い剛性を具える紙弁当箱とその蓋の構造。
【請求項２】
該側壁は該箱底と反対側に延伸して連結部を形成し、該連結部は該側壁と反対側に延伸して補強片を形成し、該側壁と該連結部の境目、及び該連結部と該補強片の境目は、直角に近い角度でそれぞれ山折りし、更に、該連結部と該補強片は、該箱体の上縁で下方向へ湾曲させることができることを特徴とする、請求項１に記載の高い剛性を具える紙弁当箱とその蓋の構造。
【請求項３】
該箱体のスペースを区切るためのパーティションを該箱体内に設けたことを特徴とする、請求項１に記載の高い剛性を具える紙弁当箱とその蓋の構造。
【請求項４】
該周縁部の内、該係合部が設けられていない二つの側辺は、延伸して補助係合部を形成し、該補助係合部は該箱体の該補強片と係合させることができることを特徴とする、請求項１に記載の高い剛性を具える紙弁当箱とその蓋の構造。
【手続補正２】
【補正対象書類名】明細書
【補正対象項目名】０００４
【補正方法】変更
【補正の内容】
【０００４】
本考案による高い剛性を具える紙弁当箱とその蓋の構造は、折り線で谷折りされて箱底を形成し、該箱底の四隅は外側に広がるように延伸して接面部と弧状片を形成し、該接面部は両側に延伸して折り壁を形成し、該折り壁は該接面部と反対側に延伸して側壁を形成し、該側壁は上に向かって延伸して継手部を形成し、該折り壁を谷折りして該継手部を該弧状片に貼着させることで高い支持力をもつ湾曲した円弧状の四つ角を形成する箱体と、周縁部を形成し、該周縁部の四つの辺の内、短いほうの二つの辺は、それぞれ延伸して係合部を形成し、該係合部を蓋体の外側へ向かって折り曲げ、該箱体に設けられた補強片を該蓋体の該周縁部の内側に密着させた後、折り曲げた該係合部を元の位置に戻すことで該箱体の該補強片は該係合部と係合され、それにより箱体に固定される蓋体と、によって構成する。